【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
ノイズと呼ばれる不要な信号を含む信号ストリーム内のノイズを軽減する方法であって、
前記信号ストリームが存在する環境から、デジタル化ノイズ信号を取得し、
デジタルプロセッサ回路により、前記デジタル化ノイズ信号の周波数ドメイン表現を計算し、
前記デジタルプロセッサ回路を使用して、前記デジタル化ノイズ信号の前記周波数ドメイン表現の時間シフトを行うことにより、前記デジタル化ノイズ信号のシフトされた周波数ドメイン表現を生成し、
前記デジタル化ノイズ信号の前記シフトされた周波数ドメイン表現を、時間ドメインに変換して、アンチノイズ信号を形成し、
前記アンチノイズ信号を前記信号ストリームに出力して、減殺的干渉によって前記ノイズを軽減することを含み、
前記時間シフトの量は、前記周波数ドメイン表現における選択された周波数に依存し、信号が入力マイクロフォンからフィードバックマイクロフォンに空気を通して伝わる通過時間である前記ノイズ信号の空中伝搬時間と、前記デジタルプロセッサ回路および付随する機器のスループット速度に付随するシステム伝搬時間の両方を考慮している、方法。
【請求項２】
前記周波数ドメイン表現の前記時間シフトは、前記周波数ドメイン表現の位相のシフトに対応する、請求項１に記載の方法。
【請求項３】
複数のノイズセグメントを含み各ノイズセグメントが異なる周波数帯域に相関する前記周波数ドメイン表現において、１つ以上のノイズセグメントを個別にシフトさせる、請求項１に記載の方法。
【請求項４】
ノイズセグメントそれぞれについて個別に、用途に適した振幅スケーリング係数を適用し、
シフトされて振幅スケーリングされた前記複数のノイズセグメントを合成して、複合アンチノイズ信号を形成することをさらに含む、請求項３に記載の方法。
【請求項５】
ノイズセグメント各々および前記振幅スケーリング係数の大きさは、前記デジタルプロセッサ回路によってプログラム的に確立される、請求項４に記載の方法。
【請求項６】
前記デジタルプロセッサ回路は、ノイズセグメントの位相をシフトするようにプログラムされる、請求項３に記載の方法。
【請求項７】
前記デジタルプロセッサ回路は、ノイズセグメントの位相を、前記ノイズセグメントの選択された周波数と２の積の逆数として計算される位相シフト時間に対応する量だけシフトするようにプログラムされる、請求項３に記載の方法。
【請求項８】
前記デジタルプロセッサ回路は、前記周波数ドメイン表現の位相を、前記選択された周波数と２の積の逆数として計算され前記システムオフセット時間によってさらに調整される位相シフト時間に対応する量だけ、シフトするようにプログラムされる、請求項１に記載の方法。
【請求項９】
前記デジタルプロセッサ回路は、前記アンチノイズ信号を振幅スケーリング係数によって調整するようにプログラムされる、請求項８に記載の方法。
【請求項１０】
前記アンチノイズ信号をアナログ信号に変換し、前記アンチノイズ信号を、前記信号ストリーム内の前記ノイズとミキシングすることによって前記信号ストリームに出力することをさらに含む、請求項１に記載の方法。
【請求項１１】
前記信号ストリーム内に配置された増幅スピーカーまたは他のトランスデューサーを使用して、前記アンチノイズ信号を前記信号ストリーム内の前記ノイズとミキシングすることをさらに含む、請求項１０に記載の方法。
【請求項１２】
アナログ／デジタル変換器に結合された少なくとも１つのマイクロフォンを使用して、前記ストリーム内の前記ノイズ信号を捕捉して、前記取得されたデジタル化ノイズ信号を生成することをさらに含む、請求項１に記載の方法。
【請求項１３】
前記アンチノイズ信号を前記信号ストリームに出力した後に前記信号ストリームをサンプリングすることによって、フィードバック信号を取得し、
前記デジタルプロセッサ回路を使用して前記フィードバック信号を処理し、前記アンチノイズ信号の振幅および／または位相を調整して、前記ノイズ信号の軽減を強化することをさらに含む、請求項１に記載の方法。
【請求項１４】
前記デジタルプロセッサを使用して、前記取得されたデジタル化ノイズ信号にフーリエ変換を適用することによって前記取得されたデジタル化ノイズ信号を細分化し、前記周波数ドメインにおいて前記複数のノイズセグメントを生成することをさらに含む、請求項３に記載の方法。
【請求項１５】
前記デジタルプロセッサを使用して、畳み込みアルゴリズムを適用することによって前記取得されたノイズ信号を細分化することをさらに含む、請求項３に記載の方法。
【請求項１６】
前記デジタルプロセッサを使用して、ウェーブレット分解を適用することによって前記取得されたノイズ信号を細分化し、前記取得されたノイズ信号を異なる周波数帯域セグメントに細分化し、これによって複数のノイズセグメントを生成することをさらに含む、請求項３に記載の方法。
【請求項１７】
前記信号伝搬時間を、
前記複合アンチノイズ信号を前記ストリームに出力することなく前記信号ストリームをサンプリングすることによってフィードバック信号を取得し、
前記デジタルプロセッサを使用して、前記デジタル化ノイズ信号が取得された時と前記フィードバック信号が取得された時との間の前記時間の経過を測定し、前記差を前記伝搬時間としてメモリに格納する
ことによって決定することをさらに含む、請求項１に記載の方法。
【請求項１８】
前記システム伝搬時間を、
前記アンチノイズ信号を前記ストリームに出力した後に前記信号ストリームをサンプリングすることによってフィードバック信号を取得し、
前記デジタルプロセッサを使用して、前記デジタル化ノイズ信号が取得された時と前記フィードバック信号が取得された時との間の前記時間の経過を測定し、前記差を前記伝搬時間としてメモリに格納する
ことによって決定することをさらに含む、請求項１に記載の方法。
【請求項１９】
パーソナルデバイスにおけるオーディオノイズ軽減方法であって、
情報搬送信号を取得し、
デジタル化ノイズ信号を取得し、
デジタルプロセッサ回路を使用して、前記取得されたデジタル化ノイズ信号を異なる周波数帯域セグメントに細分化することによって、複数のセグメント化ノイズ信号を生成し、
前記デジタルプロセッサ回路を使用して、１つ以上のセグメント化ノイズ信号の時間シフトを個別に行い、それによって、複数のシフトされたセグメント化ノイズ信号を生成し、
前記複数のシフトされたセグメント化ノイズ信号を合成し、複合アンチノイズ信号を形成し、
前記複合アンチノイズ信号を前記情報搬送信号とミキシングし、減殺的干渉によって前記オーディオノイズを軽減することで、出力信号を生成し、
前記出力信号を前記パーソナルデバイスのオーディオプレイバックトランスデューサに供給することを含み、
前記時間シフトの量は、前記セグメント化ノイズ信号の選択された周波数に依存し、信号が入力マイクロフォンからフィードバックマイクロフォンに空気を通して伝わる通過時間である前記ノイズ信号の空中伝搬時間と、前記デジタルプロセッサ回路および付随する機器のスループット速度に付随するシステム伝搬時間の両方を考慮している 、方法。
【請求項２０】
前記セグメント化ノイズ信号の前記時間シフトは、前記セグメント化ノイズ信号の位相のシフトに対応する、請求項１９に記載の方法。
【請求項２１】
前記セグメント化ノイズ信号の前記時間シフトは、システムオフセット時間を埋め合わせる時間シフトに対応する、請求項１９に記載の方法。
【請求項２２】
前記情報搬送信号は、エンターテインメントコンテンツおよび音声のうちの少なくとも１つを含む、請求項１９に記載の方法。
【請求項２３】
前記オーディオプレイバックトランスデューサーは、前記パーソナルデバイス内に取り付けられたスピーカーまたはパーソナルヘッドセットデバイスである、請求項１９に記載の方法。
【請求項２４】
信号処理システムにおけるノイズ軽減方法であって、
デジタル化ノイズ信号を取得し、
デジタルプロセッサ回路を使用して、前記取得されたデジタル化ノイズ信号を異なる周波数帯域セグメントに細分化することによって、複数のセグメント化ノイズ信号を生成し、
前記複数のセグメント化ノイズ信号をメモリに格納し、
前記デジタル化ノイズ信号の前記取得とは別に情報搬送信号を取得し、
（ａ）前記格納された複数のセグメント化ノイズ信号を前記メモリから取り出し、
（ｂ）前記デジタルプロセッサ回路を使用して、１つ以上のセグメント化ノイズ信号の時間シフトを個別に行い、それによって、複数のシフトされたセグメント化ノイズ信号を生成し、
（ｃ）前記複数のシフトされたセグメント化ノイズ信号を前記取得された情報搬送信号と合成して、減殺的干渉によって前記ノイズを軽減する
ことによって前記取得された情報搬送信号を処理し、
前記処理済みの取得された情報搬送信号を出力することを含み、
前記時間シフトの量は、前記セグメント化ノイズ信号の選択された周波数に依存し、信号が入力マイクロフォンからフィードバックマイクロフォンに空気を通して伝わる通過時間である前記ノイズ信号の空中伝搬時間と、前記デジタルプロセッサ回路および付随する機器のスループット速度に付随するシステム伝搬時間の両方を考慮している 、方法。
【請求項２５】
前記セグメント化ノイズ信号の前記時間シフトは、前記セグメント化ノイズ信号の位相のシフトに対応する、請求項２４に記載の方法。
【請求項２６】
前記セグメント化ノイズ信号の前記時間シフトは、システムオフセット時間を埋め合わせる時間シフトに対応する、請求項２４に記載の方法。
【請求項２７】
ノイズ発生装置のノイズを軽減する方法であって、
デジタルプロセッサ回路を使用して前記ノイズ発生装置のデジタル化代表ノイズ信号を取得し、前記取得されたデジタル化代表ノイズ信号を異なる周波数帯域セグメントに細分化し、それによって複数のセグメント化ノイズ信号を生成し、
セグメント化ノイズ信号それぞれについて個別に、前記デジタルプロセッサ回路を使用して、前記セグメント化ノイズ信号の前記位相をシフトし、それによって、複数のシフトされたセグメント化ノイズ信号を生成し、
前記複数のシフトされたセグメント化ノイズ信号を合成し、複合アンチノイズ信号を形成し、
前記複合アンチノイズ信号を前記信号ストリームに出力して、減殺的干渉によって前記ノイズを軽減することを含み、
前記時間シフトの量は、前記セグメント化ノイズ信号の選択された周波数に依存し、信号が入力マイクロフォンからフィードバックマイクロフォンに空気を通して伝わる通過時間である前記ノイズ信号の空中伝搬時間と、前記デジタルプロセッサ回路および付随する機器のスループット速度に付随するシステム伝搬時間の両方を考慮している、方法。
【請求項２８】
前記ノイズ発生装置に付随するノイズ信号は、前記代表ノイズ信号を取得するための移動平均を計算することによって操作される所定の時間にわたって捕捉される、請求項２７に記載の方法。
【請求項２９】
前記デジタルプロセッサ回路は、前記周波数ドメイン表現の位相を、前記周波数ドメイン表現のための前記選択された周波数と２の積の逆数として計算される位相シフト時間に対応する量だけ、シフトするようにプログラムされる、請求項１に記載の方法。
【請求項３０】
ノイズ信号を含むオーディオ信号ストリーム内のノイズを軽減するシステムであって、
前記オーディオ信号ストリームが存在する環境から、ノイズ信号を取得するマイクロフォンと、
前記マイクロフォンから前記ノイズ信号を受信して、前記ノイズ信号をデジタル化ノイズ信号に変換するように動作するアナログ／デジタル変換器と、
前記アナログ／デジタル変換器から前記デジタル化ノイズ信号を受信して、
周波数ドメインにおいて前記デジタル化ノイズ信号の周波数ドメイン表現を計算し、
前記デジタル化ノイズ信号の前記周波数ドメイン表現の時間シフトを行うことにより、前記デジタル化ノイズ信号のシフトされた周波数ドメイン表現を生成し、
前記シフトされた周波数ドメイン表現を、時間ドメインに変換して、アンチノイズ信号を形成することにより、前記デジタル化ノイズ信号を処理するデジタル信号プロセッサであって、
前記時間シフトの量は、信号が前記マイクロフォンからフィードバックマイクロフォンに空気を通して伝わる通過時間である前記ノイズ信号の空中伝搬時間と、前記デジタルプロセッサ回路および付随する機器のスループット速度に付随するシステム伝搬時間の両方を考慮しているデジタル信号プロセッサと、  
前記デジタル信号プロセッサから前記アンチノイズ信号を受信して、前記アンチノイズ信号をアナログアンチノイズ信号に変換するように動作するデジタル／アナログ変換器と、を含むシステム。
【請求項３１】
前記オーディオ信号ストリームと前記アナログアンチノイズ信号を受信して、前記オーディオ信号ストリームを前記アナログアンチノイズ信号と合成するように動作するミキサーをさらに含む、請求項３０に記載のシステム。